(57)【要約】【課題】地震発生により鉛直方向および水平方向の力が作用した場合でも、破損することなく給電継続が可能な高耐震性の低圧乾式変圧器を提供する。【解決手段】コイル２の上下に配置した絶縁部材８、９を締結具１４、１５で締め付けてコイル２を狭着するとともに、鉄心３に一体化されたアングル１３で支持し、かつ、コイル２を構成する外側巻線５、内側巻線４、およびその内方の鉄心３との相互間の隙間が全て絶縁材料と接着材料とからなる充填材２１、２２で充填固定している。【選択図】図１
2018060874.tif 000002
【特許請求の範囲】
【請求項１】
内側巻線と外側巻線とからなるコイルの内方に鉄心が挿通され、上記コイルの鉄心挿通方向に沿った下端と上端には、上記鉄心の上記コイルからの突出部を挿通するとともに、上記コイルの下端面と上端面を覆う絶縁部材がそれぞれ配置され、下側の上記絶縁部材は上記鉄心の上記突出部と一体化された支持部材で支持され、また上側の上記絶縁部材と上記鉄心の上記突出部との間には締結具が介在され、上記締結具の締結により上記コイルが上下の上記絶縁部材によって挟着される一方、上記コイルを構成する上記外側巻線、上記内側巻線、および上記内側巻線に対向する上記鉄心の相互間の隙間が全て絶縁材料と接着材料とからなる充填材で充填固定されている低圧乾式変圧器。
【請求項２】
上記締結具は、上記鉄心の上記突出部と一体化されたナット、および上記ナットに螺合されて上側の上記絶縁部材を押圧するボルトからなる請求項１に記載の低圧乾式変圧器。
【請求項３】
上記鉄心は上記コイルの挿通方向に直交する方向の断面が長方形であり、上記鉄心の短辺側とその外方に位置する上記内側巻線との間には、上記内側巻線に対する変形防止用の樹脂片と絶縁材とが介在されている請求項１または請求項２に記載の低圧乾式変圧器。
【請求項４】
上記接着材料は、エポキシ系のプリプレグ、およびエポキシ系ワニスを含浸、硬化して得られたエポキシ材で構成されている請求項１から請求項３のいずれか１項に記載の低圧乾式変圧器。
【発明の詳細な説明】
【技術分野】
【０００１】
この発明は、高い耐震性を備えた低圧乾式変圧器に関するものである。
【背景技術】
【０００２】
従来、ＡＣ６００Ｖ以下程度の電圧を扱う低圧乾式変圧器においては、例えば、下記の特許文献１、２に記載された構成のものが提案されている。
すなわち、従来技術では、アクリル系ワニスでコイルを含浸することにより、コイルの変形を防止している。また、鉄心の中空部もしくは変圧器に取り付けたアングル上に樹脂片を設置し、この樹脂片の上にコイルを載置することにより、下面からコイルを支持している。
【０００３】
また、コイルについては、その内側巻線と鉄心との間にはアクリル系ワニスが介在されており、それらの接着力により内側巻線が鉄心に側面から支持されている。また、コイルの内側巻線と外側巻線との間には空気道確保用の樹脂片が挿入され、その樹脂片との摩擦力により外側巻線が内側巻線に側面から支持されている。
【０００４】
したがって、内側巻線と外側巻線からなるコイル全体は、側面からの支持によって自重および鉛直方向の振動による鉛直方向への移動や脱落を防いでいる。また、コイルの外側巻線に対する水平方向の振動については、空気道確保用の樹脂片の圧縮応力により移動や偏心を防止している。さらに、コイルの内側巻線については鉄心との間に介在されているアクリル系ワニスの接着力により、水平方向の移動や偏心を防止している。
【先行技術文献】
【特許文献】
【０００５】
【特許文献１】特開昭５８−２２５６１６号公報
【特許文献２】特開昭５８−１６４２０５号公報
【発明の概要】
【発明が解決しようとする課題】
【０００６】
従来の低圧乾式変圧器は、コイル下面からの支持は樹脂片のみであり、自重程度の応力を想定している。このため、鉛直方向に大きな地震力が作用した場合には、樹脂片が塑性変形してコイル全体が鉄心から垂直方向にずれる可能性があった。また、コイル下面の一部のみを局部的に支持する構造であるため、コイルに不均一な抗力が作用し、コイルが変形する可能性があった。
【０００７】
また、コイルの外側巻線は空気道確保用の樹脂片からの摩擦力により側面から支持されており、かつコイルの内側巻線が外側巻線の自重や振動による荷重も負担している。さらに、コイルの内側巻線と鉄心の間の接着力で、内側巻線と外側巻線の双方の自重および振動を支持している。したがって、鉛直方向に大きな地震力が作用した場合には、その反作用がコイルの内側巻線と鉄心との間に介在されたアクリル系ワニスに集中して加わる。そのため、その接着力以上の大きな鉛直地震力が作用すると、コイル全体が鉄心から垂直方向に位置ずれして変形する可能性があった。
【０００８】
また、水平地震力下では、その応力が空気道確保用の樹脂片に集中するため、樹脂片の弾性変形領域の地震力には耐えられるものの、強大な地震力が加わった場合には樹脂片が塑性変形を起こし、水平方向のコイルの外側巻線の位置が偏心する可能性がある。また、摩擦力喪失により側面からコイルの外側巻線を支持できなくなり、鉄心からコイルが脱落する可能性があった。
【０００９】
この発明は、上記のような課題を解決するためになされたものであり、地震発生により鉛直方向や水平方向の力が作用した場合でも、破損することなく給電継続が可能な低圧乾式変圧器を提供することを目的とする。
【課題を解決するための手段】
【００１０】
この発明の低圧乾式変圧器は、内側巻線と外側巻線とからなるコイルの内方に鉄心が挿通され、上記コイルの鉄心挿通方向に沿った下端と上端には、上記鉄心の上記コイルからの突出部を挿通するとともに、上記コイルの下端面と上端面を覆う絶縁部材がそれぞれ配置され、下側の上記絶縁部材は上記鉄心の上記突出部と一体化された支持部材で支持され、また上側の上記絶縁部材と上記鉄心の上記突出部との間には締結具が介在され、上記締結具の締結により上記コイルが上下の上記絶縁部材によって挟着される一方、上記コイルを構成する上記外側巻線、上記内側巻線、および上記内側巻線に対向する上記鉄心の相互間の隙間が全て絶縁材料と接着材料とからなる充填材で充填固定されている。
【発明の効果】
【００１１】
この発明の低圧乾式変圧器によれば、コイルは上下の絶縁部材により狭着されるとともに、鉄心に一体化された支持部材で支持され、かつ、コイルの外側巻線、内側巻線、およびその内方の鉄心との相互間の隙間が全て絶縁材料と接着材料とからなる充填材で充填固定されているので、地震発生により鉛直方向および水平方向のいずれの力が作用した場合でも、変形や変位を起こさず、破損することがない。このため、安定して給電継続が可能で、高い耐震性を備えたものとなる。
【図面の簡単な説明】
【００１２】
【図１】この発明の実施の形態１による低圧乾式変圧器の正面図である。
【図２】この発明の実施の形態１による低圧乾式変圧器の側面図である。
【図３】図１のＡ−Ａ線に沿った断面図である。
【発明を実施するための形態】
【００１３】
実施の形態１．
図１はこの発明の実施の形態１による低圧乾式変圧器の正面図、図２はこの発明の実施の形態１による低圧乾式変圧器の側面図、図３は図１のＡ−Ａ線に沿った断面図である。
【００１４】
この実施の形態１の低圧乾式変圧器１は、図１および図２に示すように、左右２つのコイル２を備え、各コイル２は、その内方に鉄心３がそれぞれ挿通され、各鉄心３のコイル２から上下に突出した突出部同士は互いに一体的に連結されている。
【００１５】
なお、この実施の形態１の低圧乾式変圧器１は、左右２つのコイル２を備えているが、この発明はこのような構成に限定されるものではなく、コイル２が３つ以上ある構成の場合についても適用可能である。
【００１６】
そして、各コイル２の鉄心挿通方向に沿った下端と上端には、それぞれ鉄心３のコイル２からの突出部を挿通する挿通穴（図示せず）が形成されるとともに、左右の各コイル２の下端面と上端面を覆う平板状の絶縁部材８、９が配置されている。この場合、上下の各絶縁部材８、９は、共にガラスエポキシ材で構成されているが、このような材料に限定されるものではなく、強度に優れ弾性がある難燃の絶縁材料であれば好適に使用することができる。
【００１７】
なお、ここでは左右の２つのコイル２間に渡ってその下端面と上端面とを全て覆うように上下それぞれ１枚の絶縁部材８、９を設けた構成としている。この構成とする方が地震に対する抑止効果が発揮できる点で好ましいが、コイル２ごとに個別に絶縁部材を上下に設けることも可能である。
【００１８】
各鉄心３のコイル２から下方に突出した突出部の両側面にはそれぞれ鉄心固定用の平鋼１１がネジ止めされ、各々の平鋼１１には、鉄心３のコイル挿通箇所に対応する長手方向の左右２箇所にそれぞれ支持部材としての断面Ｌ字状のアングル１３がネジ止めされている。これにより、鉄心３のコイル２から下方に突出した突出部、平鋼１１、およびアングル１３が一体化されるとともに、アングル１３によって下側の絶縁部材８が支持されている。
【００１９】
このように、下側の絶縁部材８を各コイル２の下端面の全面を覆う大きな寸法とすることにより、コイル２の荷重を均等に受け止めるとともに、コイル２は絶縁部材８からの抗力を均等に受ける。したがって、下側の絶縁部材８は、鉛直地震力によりコイル２から加わる応力、および鉄心３とアングル１３からの抗力による曲げ応力、せん断応力で塑性変形しない厚みを持たせている。
【００２０】
また、アングル１３については、地震により発生するせん断応力、引張応力、曲げ応力を事前評価し、それらの応力がアングル１３として使用する材料について予め規定された強度の許容値内に収まるように選定している。さらに、アングル１３と絶縁部材８との間に発生する圧縮応力が絶縁部材８の強度の許容値を超えないよう、アングル１３の寸法を選定している。
【００２１】
一方、各鉄心３のコイル２から上方に突出した突出部の両側面にはそれぞれ鉄心３固定用の平鋼１２がネジ止めされ、各々の平鋼１２には、前述のアングル１３の取り付け箇所に対応する長手方向の左右２箇所にそれぞれナット１４が溶接されている。これにより、鉄心３のコイル２から上方に突出した突出部、平鋼１２、およびナット１４が一体化されている。そして、各ナット１４にはボルト１５が螺合されており、各ボルト１５を締め付けることにより、コイル２が上下の絶縁部材８、９によって挟着されている。したがって、ボルト１５とナット１４が特許請求の範囲における締結具に対応している。
【００２２】
このように、各ナット１４の締め付けによりコイル２が上下の絶縁部材８、９によって挟着されるので、鉛直方向の振動によるコイル２の移動を防止し、コイル２の位置が固定される。したがって、上側の絶縁部材９は、鉛直地震力によりコイル２から加わる応力、および鉄心３とアングル１３からの抗力による曲げ応力、せん断応力で塑性変形しない厚みを持たせている。
【００２３】
また、ナット１４とボルト１５については、地震により発生するせん断応力、引張応力を事前評価し、それらの応力がナット１４およびボルト１５として使用する材料について予め規定された強度の許容値内に収まるように選定している。さらに、ボルト１５と絶縁部材９との間に発生する圧縮応力が絶縁部材９の強度の許容値を超えないよう、ボルト１５の寸法を選定している。なお、低圧乾式変圧器１は、製作工程中に、全体をエポキシ系ワニスに含浸して高温処理されるので、ナット１４とボルト１５は、エポキシ系ワニスによって固められるため、地震による振動下でもボルト１５が緩みにくい構造となっている。
【００２４】
図３に示すように、左右２つのコイル２は、それぞれ内側巻線４と外側巻線５とからなり、内側巻線４の内方に鉄心３が挿通されている。この場合の内側巻線４と外側巻線５は、いずれか一方が一次側、他方が二次側となる。内側巻線４と外側巻線５のうち、いずれが一次側、あるいは二次側になるかはこの変圧器の使用状況に応じて決定される。
【００２５】
コイル２の内側の鉄心３は、コイル挿通方向と直交する方向の断面が長方形であり、この鉄心３の短辺側とその外方に位置する内側巻線４との間の空隙には、エポキシ系ワニスの含浸前に鉄心３の角部によって内側巻線４が損傷したり変形したりするのを防止するなどの目的で、樹脂片１７とその樹脂片１７を挟むように左右に絶縁材１８が介在されている。
【００２６】
この場合の樹脂片１７は、ガラスファイバをエポキシ系の樹脂で固めて形成されたものである。また、絶縁材１８は、ガラスファイバを予め詰めておき、その後の製作工程で、エポキシ系ワニスに含浸して高温処理後、乾燥して得られたものであり、ガラスエポキシ材と類似の強度および弾性を持つとともに、内側巻線４と鉄心３とを接着する役割を果たしている。
【００２７】
そして、鉄心３の長辺側および上記の樹脂片１７と絶縁材１８を覆って、プリプレグおよび絶縁紙が巻装されている。この場合のプリプレグは、例えばアラミド繊維にエポキシ樹脂を含浸してなるシート状のものであり、鉄心３、樹脂片１７、絶縁材１８と内側巻線４との間に確実にエポキシ材を充填する役割を果たす。また、内側巻線４と外側巻線５とは、それぞれ銅線の外周を優れた絶縁耐力を持つ絶縁紙（例えばアラミド絶縁紙）で巻装して構成されている。
【００２８】
前述のように、この低圧乾式変圧器１は、製作工程中に、全体をエポキシ系ワニスに含浸して高温処理後、乾燥される。したがって、鉄心３と内側巻線４との間には、エポキシ系のプリプレグと絶縁紙が介在されるとともに、エポキシ系ワニスを含浸、硬化して得られたエポキシ材が充填されており、エポキシ材による強力な接着力が働いている。この場合、地震により内側巻線４と鉄心３との間に働く応力が、エポキシ材の引張接着強さ、および引張せん断接着強さを超えないよう、エポキシ系ワニスの素材が選定されている。なお、図３において、鉄心３と内側巻線４との間に充填されているプリプレグ、絶縁紙、およびエポキシ材の各層は、個々に区別せずにその全体を充填材として符号２１で示している。
【００２９】
また、内側巻線４と外側巻線５との間には絶縁紙が介在されるとともに、エポキシ系ワニスの含浸によりエポキシ材が充填されており、エポキシ材による強力な接着力が作用して内側巻線４と外側巻線５とが一体化されている。ただし、内側巻線４と外側巻線５との間に絶縁紙に加えてプリプレグを介在させた構成とすることも可能である。なお、図３において、内側巻線４と外側巻線５の間に充填されている絶縁紙、およびエポキシ材の各層は、個々に区別せずにその全体を充填材として符号２２で示している。
【００３０】
このように、この実施の形態１では、鉄心３、内側巻線４、および外側巻線５の相互間の隙間は、全て絶縁材料（絶縁紙）と接着材料（エポキシ系プリプレグ、およびエポキシ系ワニスを含浸、硬化して得られたエポキシ材）とからなる充填材２１、２２で充填固定されている。よって、外側巻線５、内側巻線４、およびこの内側巻線４の相互間の隙間には、従来のような空気道確保用の樹脂片は設けられていない。このように、空気道を確保する必要がないのは、コイル２を構成する内側巻線４と外側巻線５の直径を従来のものよりも幾分大きくすることにより、通電抵抗による発熱を抑えたためである。
【００３１】
次に、上記構成を備えた低圧乾式変圧器１における、地震時の挙動について説明する。
【００３２】
高い地震力が鉛直方向に発生した場合、地震応力は絶縁部材８、９を通してアングル１３や、ボルト１５、ナット１４に加わるが、地震により発生する応力がアングル１３や、ボルト１５、ナット１４の強度の許容値を超えないように選定しているので、アングル１３や、ボルト１５、ナット１４が破断することはない。また、地震の曲げ応力および局所的な圧縮応力により絶縁部材８、９が塑性変形しないように、絶縁部材８、９の厚さや、アングル１３やボルト１５の寸法を選定しているので、絶縁部材８、９が過剰に変形することはなく、コイル２を確実に支持固定できる。
【００３３】
一方、高い地震力が水平方向に発生した場合、地震応力はコイル２および鉄心３を分離させる方向に作用するが、鉄心３、内側巻線４、および外側巻線５の相互間の隙間は、全てエポキシ系ワニスを含浸、硬化して得られたエポキシ材を含む充填材２１、２２で充填固定されているので、鉄心３と内側巻線４との間、および内側巻線４と外側巻線５との間のいずれについてもエポキシ材による強力な接着力が接触面全面に働き、かつ、引張応力およびせん断応力がエポキシ材の接着強さを超えないようにエポキシ系ワニスの素材が選定されているため、コイル２と鉄心３とが分離することはない。
【００３４】
鉄心３の短辺側には、内側巻線４との間に樹脂片１７と絶縁材１８とが介在されているが、コイル２はエポキシ系ワニスに含浸して形成されるため、地震発生時もコイル２はわずかな変形しか生じない。また、絶縁材１８と鉄心３、および絶縁材１８と内側巻線４との間にエポキシ系の強力な接着力が働くため、絶縁材１８と鉄心３、および絶縁材１８と内側巻線４とが分離することもない。さらに、鉄心３と内側巻線４との間には絶縁材１８に加えて、プリプレグが介在されているので、これらが水平方向の変形を抑制する方向に作用するため、鉄心３の長辺側と短辺側のいずれの方向についてもコイル２の変形量はごくわずかとなる。よって、コイル２が偏心したり、鉄心３から脱落することはない。
【００３５】
以上のように、この実施の形態１の低圧乾式変圧器１は、コイル２が上下の絶縁部材８、９により狭着されるとともに、鉄心３に一体化されたアングル１３で支持され、かつ、コイル２の外側巻線５、内側巻線４、およびその内方の鉄心３との相互間の隙間が全て絶縁材料と接着材料とからなる充填材２１、２２で充填固定されているので、地震発生により鉛直方向および水平方向のいずれの力が作用した場合でも、変形や変位を起こさず、破損することがない。このため、安定して給電継続が可能で、高い耐震性を備えたものが得られる。
【００３６】
なお、この発明は、上記の実施の形態１の構成のみに限定されるものではなく、この発明の趣旨を逸脱しない範囲において、実施の形態１の構成の一部に変形を加えたり、構成の一部を省略することが可能である。
【符号の説明】
【００３７】
１  低圧乾式変圧器、２  コイル、３  鉄心、４  内側巻線、５  外側巻線、
８，９  絶縁部材、１１，１２  平鋼、１３  アングル、１４  ナット、
１５  ボルト、１７  樹脂片、１８  絶縁材、２１，２２  充填材。
【図１】
2018060874.tif 000003
【図２】
2018060874.tif 000004
【図３】
2018060874.tif 000005